(57)【要約】      （修正有）【課題】ミラーテレビ専用フィルムを１対の透光性ガラス板の間に介在させた合わせガラスを提供する。【解決手段】１対の透光性ガラス板２，３の間にテレビ専用の透光性ミラーフィルム４を介在させて成り、テレビ専用の透光性ミラーフィルム４は、本体４ａの一面４ｂに合わせガラス専用中間膜５が、またその他面４ｃに合わせガラス専用中間膜６がそれぞれ位置するようになっており、透光性ガラス板３の一面を、マスキング用シートを介してテレビモニターの映像面に配置し、該マスキング用シートは該テレビモニターの該映像面の寸法に適合して切断される、合わせガラス１。【選択図】図１
2016184118.tif 000002
【特許請求の範囲】
【請求項１】
１対の透光性ガラス板(2,3)の間にテレビ専用の透光性ミラーフィルム(4)を介在させて成ることを特徴とする合わせガラス(1)。
【請求項２】
該テレビ専用の透光性ミラーフィルム(4)は、本体(4a)の一面(4b)に合わせガラス専用中間膜(5)が、またその他面(4c)に合わせガラス専用中間膜(6)がそれぞれ位置するようになっている請求項１に記載の合わせガラス。
【請求項３】
該本体(4a)は金属材料不使用型で導伝性を備えている請求項２に記載の合わせガラス。
【請求項４】
請求項１、２又は３に記載の合わせガラス(1)の該透光性ガラス板(3)の一面(3a)を、マスキング用シート(7)を介してテレビモニター(8)の映像面(8a)に配置する合わせガラス(1)の使用方法。
【請求項５】
該マスキング用シート(7)は透光部(7a)と遮光部(7b)を備えている請求項４に記載の合わせガラス(1)の使用方法。
【請求項６】
該透光部(7a)は該テレビモニター(8)の該映像面(8a)の寸法に適合して切断される請求項５に記載の合わせガラス(1)の使用方法。
【発明の詳細な説明】
【技術分野】
【０００１】
本発明は合わせガラスに関し、テレビ専用のミラーフィルムを２枚のフロートガラスの間に挟み込んだものである。
【背景技術】
【０００２】
合わせガラスに関しては数多くの技術が開示されており、例えば特許文献１や２が存在する。
【先行技術文献】
【特許文献】
【０００３】
【特許文献１】特開平６−９２６号公報；段落０００１参照
【特許文献２】特開２００４−２６５４７号公報；「要約」の「課題」参照
【発明の概要】
【発明が解決しようとする課題】
【０００４】
この特許文献１に記載された発明は、合わせガラスの遮音性を高めるためにガラス間に挟み込まれる中間膜に特別の技術を適用したもので、合わせガラスの構成そのものに特徴はない。
【０００５】
また、特許文献２の発明も、熱線遮蔽機能と７０％以上の可視光線透過率を両立しえる断熱合わせガラスに関しており、液晶体を介在させて透過性と反射性の両機能を選択的に果たさせることを意図したものではない。
【０００６】
更に、これらの先行技術では、以下に記載の課題がある。即ち、
(1)製造工程が複雑で、省力化ができない。
(2)耐摩耗性が劣る。
(3)タッチセンサー（静電容量）対応ができない。
【課題を解決するための手段】
【０００７】
（請求項１）本発明に係る合わせガラスは、１対の透光性ガラス板の間にテレビ専用の透光性ミラーフィルムを介在させて成っている。
【０００８】
この合わせガラスは単体を構成しているので、製造工程の簡略化により省力化ができ、取り扱いが容易で、テレビ専用の透光性ミラーフィルムは両面を透光性ガラス板で被覆されているので耐摩耗性が高く、タッチセンサーにも対応できる。
【０００９】
（請求項２）該テレビ専用の透光性ミラーフィルムは、本体の一面に合わせガラス専用中間膜が、またその他面に合わせガラス専用中間膜がそれぞれ位置するようになっていてもよい。
こうすると、該テレビ専用の透光性ミラーフィルムと透光性ガラス板との密着ができ、しかも透光性が良好で、画像の鮮明な視認が行える。
【００１０】
（請求項３）該本体は金属材料不使用型で導伝性を備えていてもよい。
こうすると、映像の透過性に優れ、ミラーとしての反射性も優れている。
【００１１】
（請求項４）請求項１、２又は３に記載の合わせガラスの透光性ガラス板の一面を、マスキング用シートを介してテレビモニターの映像面に配置して使用してもよい。
こうすると、合わせガラスが導伝状態の場合、テレビモニターから発せられる画像がそのまま合わせガラスを透して透光性ガラス板の他面上で視認でき、合わせガラスが非導伝状態の場合、合わせガラスはテレビモニターから発せられる画像光を遮断するので、この他面は鏡面として機能し、鏡像が視認できる。
【００１２】
（請求項５） 該マスキング用シートは透光部と遮光部を備えていてもよい。
こうすると、テレビモニターから発射される画像の光線の必要な範囲のものだけを透光部を透過させて合わせガラスの他面に表示し、不要な範囲を遮光部で遮断して表示させないようにできる。
【００１３】
（請求項６）該透光部は該テレビモニターの該映像面の寸法に適合して切断されてもよい。
こうすると、テレビサイズが変更になった場合、該マスキング用シートを該寸法に対応して切断すればよいので、個人的にも簡単に行える。
【発明の効果】
【００１４】
（請求項１）本発明の合わせガラスは単体を構成しているので、製造工程の簡略化により省力化ができ、取り扱いが容易で、テレビ専用の透光性ミラーフィルムは両面をフロートガラス板で被覆されている耐摩耗性が高く、タッチセンサーにも対応できる。
【００１５】
請求項２によれば、該テレビ専用の透光性ミラーフィルムと透光性ガラス板との密着ができ、しかも透光性が良好で、画像の鮮明な視認が行える。
【００１６】
請求項３によれば、映像の透過性に優れ、ミラーとしての反射性も優れている。
【００１７】
請求項４によれば、合わせガラスが導伝状態の場合、テレビモニターから発せられる画像がそのまま合わせガラスを透して透光性ガラス板の他面上で視認でき、合わせガラスが非導伝状態の場合、合わせガラスはテレビモニターから発せられる画像光を遮断するので、この他面は鏡面として機能し、鏡像が視認できる。
【００１８】
請求項５によれば、テレビモニターから発射される画像の光線の必要な範囲のものだけを透光部を透過させて合わせガラスの他面に表示し、不要な範囲を遮光部で遮断して表示させないようにできる。
【００１９】
請求項６よれば、テレビサイズが変更になった場合、該マスキング用シートを該寸法に対応して切断すればよいので、個人的にも簡単に行える。
【図面の簡単な説明】
【００２０】
【図１】本発明にかかる合わせガラスの具体例を示す分解斜面図である。
【図２】合わせガラスをテレビモニターの映像面に配置した状態の断面図で、テレビモニターがＯＮで映像面からの出射光がマスキング用カッティングシート及び合わせガラスをその一面から透して他面から出射している状態を示す。
【図３】図２の合わせガラスの右下部分を切除した左側面図で、テレビモニターから出射された画像がこの合わせガラスの他面に表示されている状態を示す。
【図４】合わせガラスの図２と同様の断面図で、テレビモニターがＯＦＦで合わせガラスの他面に入射した光線が反射している状態である。
【図５】図４の合わせガラスの左側面図で、その他面が鏡像面となり、そこに鏡像が表示されている状態を示す。
【発明を実施するための形態】
【００２１】
（請求項１）図１で、本発明にかかる合わせガラス１は、１対の透光性ガラス板２と３の間にテレビ専用の透光性ミラーフィルム４を介在させて成っている。この透光性ガラス板２と３はフロート製造されるのが望ましい。
【００２２】
この合わせガラス１は単体を構成しているので、製造工程の簡略化により省力化ができ、取り扱いが容易で、テレビ専用の透光性ミラーフィルム４は両面をフロートガラス板で被覆されているので耐摩耗性が高く、タッチセンサーにも対応できる。
【００２３】
（請求項２）図１で明らかなように、このテレビ専用の透光性ミラーフィルム４は、本体４ａの一面４ｂに合わせガラス専用中間膜５が位置し、また本体４ａの他面４ｃに合わせガラス専用中間膜６が位置するようになっている。
この場合、テレビ専用の透光性ミラーフィルム４と透光性ガラス板２や３との密着ができ、しかも透光性が良好で、画像の鮮明な視認が行える。
【００２４】
（請求項３）この本体４ａは金属材料不使用型で導伝性を備えている。
この場合、映像の透過性に優れ、ミラーとしての反射性も優れている。
【００２５】
（請求項４）図２〜図５で、この合わせガラス１の透光性ガラス板３の一面３ａを、マスキング用シート７を介してテレビモニター８の映像面８ａに配置して使用する。
図２及び図３に示す合わせガラス１が導伝状態の場合、テレビモニター８から発せられる画像がそのまま合わせガラス１を透して透光性ガラス板２の他面２ａ上で視認できる。
また、図４及び図５で、合わせガラス１が非導伝状態の場合、合わせガラス１はテレビモニター８から発せられる画像光を遮断するので、この他面２ａは鏡面１２として機能し、鏡像１３が視認できる。
【００２６】
（請求項５）図３及び図５で、このマスキング用シート７は透光部７ａと遮光部７ｂを備えている。
この場合、テレビモニター８から発射される画像の光線の必要な範囲のものだけを透光部７ａ及び合わせガラス１を透過させて透光性ガラス板２の他面２ａに表示し、不要な範囲を遮光部７ｂで遮断して表示させないようにできる。
【００２７】
（請求項６）このマスキング用シート７の透光部７ａはテレビモニター８の映像面８ａの寸法に適合して切断される。
この場合、テレビモニター８のサイズが変更になっても、マスキング用シート７をその寸法に対応して切断すればよいので、個人的にも簡単に行える。
【符号の説明】
【００２８】
１      合わせガラス
２      透光性ガラス板
２ａ    他面
３      透光性ガラス板
３ａ    一面
４      透光性ミラーフィルム
４ａ    本体
４ｂ    一面
４ｃ    他面
５      合わせガラス専用中間膜
６      合わせガラス専用中間膜
７      マスキング用シート
７ａ    透光部
７ｂ    遮光部
８      テレビモニター
８ａ    映像面
１１    映像
１２    鏡像面
１３    鏡像
【図１】
2016184118.tif 000003
【図２】
2016184118.tif 000004
【図３】
2016184118.tif 000005
【図４】
2016184118.tif 000006
【図５】
2016184118.tif 000007